(57)【要約】【課題】交流により点灯される情報送信機能付き照明装置に対し、その送信情報を更新・管理する目的で電灯線ネットワークを含む双方向光通信を使用する。次に、取り付け位置が既知の照明装置に対し、その情報を受信する側の装置位置自体を逆推定するために１つもしくは複数の光センサから構成される受信機を利用する。また、照明装置から発信される情報を受信機において復号し、さらにその信号をディジタル信号処理により信頼度を高める。この再生信号をシリアル回線もしくは転送レートを変換した光通信装置により携帯情報端末もしくは携帯電話に送信し、内部データベースから検索される情報を音声もしくは画像等の方法により利用者に提供するシステム。【解決手段】情報更新・管理部▲１▼により送信情報を制御し、光情報検出部▲２▼において光信号から受信機の位置を逆に推定し、情報変換部▲３▼を用いて受信した信号のレート変換を行うことにより汎用的な情報端末利用を可能とする点を特徴とする。【選択図】図１
2004364191.tif 000002
【特許請求の範囲】
【請求項１】
情報送信機能付き制御装置４）を具備した照明装置５）に対し、その送信情報を変更・管理するパソコン１）、電灯線ネットワーク３）を含む双方向光通信９）と、１つもしくは複数の光センサ６）から構成される受信機７）と情報変換部８）により携帯情報端末もしくは携帯電話１０）に送信し、内部データベースから検索される情報を音声もしくは画像等の方法により利用者に提供することを可能にした情報検索・管理システム。
【発明の詳細な説明】
【０００１】
【発明の属する技術分野】
【０００２】
本発明は、建物内照明器具に内蔵された情報送信装置において、その送信情報自身の管理・更新、受信機そのものの位置推定、および利用者用携帯端末等に対する直接もしくは間接的な情報変換方法に関するものである。
【０００３】
【従来の技術】
【０００４】
従来より、地下街や屋内などでの位置情報提供手段としては、専用の近赤外線発信機や電波などが使われていた。したがって、これらの装置から発信される情報そのものを変更・管理する手段としては個々に専用情報書き換え装置を使用する必要がある。さらに従来の情報送信装置は、価格ならびに混信の問題により複数の発信器を狭い場所に密集させることができないため、信号を受信した地点の場所を正確に特定することは困難である。また、照明装置を情報発信源として使用した場合、外乱ノイズの影響により復号誤りを生ずる場合があり、さらに照明装置の構造的理由から数ＭＨｚ以上の高速情報送信はできない。一方、病院などの医療施設においては、携帯電話などの電波の使用が制限されるため、障害者特に視覚障害者のための安価な位置案内方法は確立されていない。同時に誘導装置敷設の面でも、建物の構造上、新たに通信用の配線作業を実施することは困難であるため、従来型の装置設置は新設の病院や介護施設のみに限定されている。
（１）参考となる公知例  特開２００１−３３５５２
（２）参考となる公知例  特開２００１−１７５９８７
【０００５】
【発明が解決しようとする課題】
【０００６】
前記従来の技術で記述したように、従来の技術には次のような課題があった。
【０００７】
イ．情報発信装置の内部情報に対し、それらの包括的な書き換え・管理が困難である。
ロ．屋内において利用者が携帯する受信機そのものの位置特定が困難である。
ハ．市販の安価な受信機の利用が困難である。
【０００８】
本発明は以上の課題を解決するためになされたものである。
【０００９】
【課題を解決するための手段】
【００１０】
上述した課題イ、ロ、ハは、以下の方法によって解決される。課題イ）に対し、照明装置が接続されている商用交流１００Ｖの電灯線ネットワークもしくは双方向光通信を用いて、照明装置内部の情報更新と管理を行う。すなわち電灯線ネットワークや光通信を用いて当該照明装置内部の制御情報をパソコン上で一括管理する工夫により、必要に応じて発信情報の内容を確認・変更する。課題ロ）に対し、予め取り付け位置がわかっている室内の照明装置と利用者の持つ受信機内部の光センサ出力を利用して利用者の位置を逆に推定する。すなわち、光センサを含む受信機と照明装置間の相対的な水平角および仰角を光センサ出力より求め、さらに照明装置そのものから送信されるディジタル情報を検出・利用する工夫を付け加えることにより、一般的な測量で行われている２点測位の原理を応用して受信機の自己位置を特定することができる。次に、課題ハ）に対し、照明装置から送られてくる信号を携帯情報端末用に変換する情報変換部を提供する。すなわち、照明装置特有の比較的遅い情報送信速度の情報を情報変換部に一時蓄え、その後、携帯端末用の高速通信速度に変換したのち送信する。この工夫により、照明装置と市販携帯情報端末間の情報通信が可能となる。
【００１１】
本発明は、以上の構成により従来の課題を解決する屋内情報検索・管理システムを提供するものである。
【００１２】
【発明の実施の形態】
【００１３】
以下、本発明の実施の形態の概要を図１の屋内情報検索・管理システムのブロック図を用いて説明する。
【００１４】
（イ）情報更新・管理手段１．は次の構成から成っている。情報更新用パソコン１）から商用１００Ｖコンセント２）を用いた電灯線ネットワーク３）もしくは双方向光通信９）を利用して蛍光灯（照明装置）５）の内部の制御装置４）との間で情報ネットワークを構成する。このネットワークと蛍光灯５）、光センサ６）、受信機７）、情報変換部８）、双方向光通信９）、携帯情報端末１０）から構成されている。これらのシステムにおいて、情報検索と管理は次の方法により行う。
【００１５】
（ロ）光情報検出手段２．は次の構成から成っている。制御装置４）に接続された蛍光灯５）より位置情報などのデータを蛍光灯５）からの照明光に重畳して送信する。この照明光は利用者が携帯する受信機７）の光センサ６）により検出される。受信機内部では照明光からのデータを分析し、利用者自身の屋内位置を既知の照明装置位置と照明光情報を用いて２点測位の原理により逆推定する。
【００１６】
（ハ）情報変換手段３．は次の構成から成っている。情報変換部８）において、照明光内部データを復号するための信号処理を行い、その結果を利用者の携帯情報端末１０）の受信方式に変換して送信する。また、携帯情報端末１０）側では、内部の近赤外線通信機能や無線通信機能を用いて照明装置側との双方向通信９）を実現する。
【００１７】
以下に、情報更新・管理手段１．、光情報検出手段２．、情報変換手段３．の順にそれぞれ図２、図３、図４を用いてその方法の詳細を述べる。
【００１８】
図２は、情報更新・管理手段に関する装置構成を示したものである。まず情報更新用パソコン１）より１００Ｖコンセント２）ならびに電灯線ネットワーク３）を用いて制御装置４）に対して通信を行う。制御装置内部では、制御回路２０１）により伝送された情報に対する演算・蓄積処理が行われる。次に外部に対する情報の通信手段として、電波放射回路２０２）および発光制御回路２０３）が使用され、それぞれ無線ＬＡＮ回路の制御あるいは照明光の周波数、位相、振幅変調などが行われる。照明装置からの情報は、電灯２０４）あるいは蛍光灯５）により送信される。また、内部光検出部２０５）により蛍光灯５）より発信される情報の内部確認が行われる。
【００１９】
外部光検出部２０６）と情報更新用パソコン１）、ならびに蛍光灯５）と光センサ６）はそれぞれ利用者からの情報発信と情報受信経路を形成し、双方向光通信９）による情報のフィードバックを行っている。
【００２０】
また、電波放射回路２０２）では電灯２０４）や蛍光灯５）の金属部分を無線通信用アンテナとして利用する。
【００２１】
図３は光情報検出手段に関する装置構成を示すものであり、主要構成は光センサ６）および受信機７）より構成される。また、受信機そのものの方向や動きを検出するセンサ３０１）が組み合わされている。ここで光センサ６）は球面体上に複数個配置され、そこで検出された光信号３０２）は信号分離部３０３）において定常光成分３０４）と交流成分３０５）に分離された後、センサ３０１）で検出された受信機方位／動きの情報とともに信号処理回路３０６）に送られディジタル信号３０７）の形式で出力される。
【００２２】
図４は、情報変換手段に関する装置構成を示すものである。図３の光情報検出手段で復号された信号、もしくは単独の単一光検出部４０１）から得られた信号を情報変換部８）において処理し、周波数、位相、振幅などの変調波に対する検波動作４０２）で検波を行う。次に出力変換部４０３）において、光信号４０４）もしくは電気信号４０５）に変換し携帯情報端末１０）もしくは情報更新用パソコン１）に送信する。光通信の場合においても、双方向光通信手段９）を用いる。得られた信号は、それ自身もしくはそれを用いて得られたデータベース検索情報により音声もしくは画像の形式に変換され利用者に提供される。
【００２３】
本発明は以上の構成によりなっている。
【００２４】
本発明を実施するときは、照明装置そのものに手を触れることなく外部から電灯線３）や無線もしくは光通信により照明装置内部の情報の更新・管理が可能となる。さらに、屋内での受信機位置の推定および照明光を介した携帯情報端末や携帯電話等との双方向通信９）の機能により屋内における情報通信の利便性を向上させることができる。
【００２５】
具体的には、屋内では既存の電源コンセント２）に電灯線ネットワークアダプタを持つパソコン１）を接続するのみで、照明装置内部の制御装置４）の動作、ならびにここから発信される照明情報の変更・管理が可能である。また一般に建物内の照明装置が見晴らしのよい天井部分に設置されている位置的環境から双方向光通信９）や無線ＬＡＮにより同様の照明装置内の情報の変更・動作確認も可能である。
【００２６】
次に、照明装置の設置位置情報と利用者側受信機で受信する光情報を利用して、受信機自身の位置推定が可能である。特に、受信機に取り付けられる複数の光センサ６）を半球ドーム面上に配置することにより、各光センサ出力信号の情報を用いて照明装置までの方位情報計測を可能とする。
【００２７】
次に、新たに情報変換部を提供することにより、照明装置から送信される光信号の通信方式や送信レートを業界標準規格の近赤外線信号に変換し、市販の携帯情報端末１０）や携帯電話の利用を可能とする。
【００２８】
以上、本発明は一般に広く使用されている照明装置に着目し、照明装置を用いた通信方式に必要な周辺システムを提供することにより屋内情報の更新・管理、光情報検出による受信機位置推定および市販携帯情報端末を用いた音声・画像などの情報提供を可能とするものである。
【００２９】
【発明の効果】
以上説明したように、本発明によればイ）情報発信装置の内部情報に対し、それらの包括的な書き換え・管理が容易となり、ロ）室内において利用者が携帯する受信装置そのものの位置特定が可能となり、ハ）市販の受信装置の利用が容易となり、実用に供して便利となった。
【図面の簡単な説明】
【図１】屋内情報検索・管理システム全体のブロック図
【図２】情報更新・管理手段を説明する図
【図３】光情報検出手段を説明する図
【図４】情報変換手段を説明する図
【符号の説明】
図１  屋内情報検索・管理システム全体のブロック図
１．情報更新・管理手段  （詳細は図２）
２．光情報検出手段  （詳細は図３）
３．情報変換手段  （詳細は図４）
１）  情報更新用パソコン
２）  １００商用コンセント
３）  電灯線ネットワーク
４）  制御装置
５）  蛍光灯（照明装置）
６）  光センサ
７）  受信機
８）  情報変換部
９）  双方向光通信
１０）  携帯情報端末
図２  情報更新・管理手段を説明する図
１）  情報更新用パソコン
２）  １００商用コンセント
３）  電灯線ネットワーク
４）  制御装置
５）  蛍光灯（照明装置）
６）  光センサ
２０１）  制御回路
２０２）  電波放射回路
２０３）  発光制御回路
２０４）  電灯
２０５）  内部光検出
２０６）  外部光検出
２０７）  光送信
図３  光情報検出手段を説明する図
６）  光センサ
７）  受信機
８）  情報変換部
３０１）  方位センサ／動きセンサ
３０２）  光信号
３０３）  信号分離
３０４）  定常光
３０５）  交流
３０６）  信号処理回路
３０７）  ディジタル信号
図４  情報変換手段を説明する図
１）  情報更新用パソコン
８）  情報変換部
９）  双方向光通信
１０）  携帯情報端末
４０１）  単一検出部
４０２）  検波
４０３）  出力変換
４０４）  光信号
４０５）  電気信号
【図１】
2004364191.tif 000003
【図２】
2004364191.tif 000004
【図３】
2004364191.tif 000005
【図４】
2004364191.tif 000006